(57)【要約】  金属カバーが脱落することを抑制できるレセプタクルを提供することである。  本発明に係るレセプタクルは、基板と、光電変換素子と、樹脂を材料として含み、光ファイバと光電変換素子とが光学的に結合するようにプラグを位置決めする位置決め部材と、プラグを保持する金属カバーと、位置決め部材と金属カバーとを接着する接着剤と、を備えており、金属カバーは、位置決め部材と対向する第１の対向部を有しており、第１の対向部には、位置決め部材に近づくように窪んでいる固定部が設けられていると共に、固定部に隣接する位置に第１の貫通孔が設けられており、固定部は、位置決め部材に臨む第１の面、及び、第１の面の反対側に位置する第２の面を有しており、接着剤は、第１の貫通孔を通過することにより第１の面及び第２の面に接触していると共に、位置決め部材に接触していること、を特徴とする。
2017169934.tif 000002
【特許請求の範囲】
【請求項１】
光ファイバの先端に設けられたプラグが接続されるレセプタクルであって、
基板と、
前記基板上に実装されている光電変換素子と、
前記基板上に設けられ、かつ、樹脂を材料として含む位置決め部材であって、前記光ファイバと前記光電変換素子とが光学的に結合するように前記プラグを位置決めする位置決め部材と、
前記プラグを保持する金属カバーと、
前記位置決め部材と前記金属カバーとを接着する接着剤と、
を備えており、
前記金属カバーは、前記位置決め部材と対向する第１の対向部を有しており、
前記第１の対向部は、該位置決め部材に近づくように窪んでいる固定部を含んでおり、
前記第１の対向部には、前記固定部に隣接する位置又は該固定部に第１の貫通孔が設けられており、
前記固定部は、前記位置決め部材に臨む第１の面、及び、該第１の面の反対側に位置する第２の面を有しており、
前記接着剤は、前記第１の貫通孔を通過することにより前記第１の面及び前記第２の面に接触していると共に、前記位置決め部材に接触していること、
を特徴とするレセプタクル。
【請求項２】
前記接着剤は、樹脂を材料として含んでいること、
を特徴とする請求項１に記載のレセプタクル。
【請求項３】
前記位置決め部材は、前記第１の対向部と対向する第２の対向部を有しており、
前記第２の対向部において前記固定部と対向する位置には凹部が設けられており、
前記固定部は、前記凹部内に位置していること、
を特徴とする請求項１又は請求項２のいずれかに記載のレセプタクル。
【請求項４】
前記第２の対向部において前記凹部の周囲に位置する第１の周縁部は、前記第１の対向部に接触していること、
を特徴とする請求項３に記載のレセプタクル。
【請求項５】
前記接着剤は、前記第１の周縁部よりも前記第１の対向部から該第２の対向部に向かう方向に位置していること、
を特徴とする請求項４に記載のレセプタクル。
【請求項６】
前記位置決め部材は、前記第１の対向部と対向する第２の対向部を有しており、
前記接着剤は、前記第１の対向部において前記固定部及び前記第１の貫通孔の周囲に位置する第２の周縁部よりも前記第１の対向部から前記第２の対向部に向かう方向に位置していること、
を特徴とする請求項１ないし請求項５のいずれかに記載のレセプタクル。
【請求項７】
前記第１の対向部には第２の貫通孔が設けられており、
前記固定部は、前記第１の対向部において前記第１の貫通孔及び前記第２の貫通孔に挟まれた部分であること、
を特徴とする請求項１ないし請求項６のいずれかに記載のレセプタクル。
【請求項８】
前記第１の貫通孔は、Ｕ字状をなしており、
前記固定部は、前記第１の対向部において前記第１の貫通孔に囲まれた部分であること、
を特徴とする請求項１ないし請求項６のいずれかに記載のレセプタクル。
【請求項９】
前記位置決め部材は、前記第１の対向部と対向する第２の対向部を有しており、
前記第２の対向部は、前記位置決め部材において前記基板から前記位置決め部材に向かう方向に位置する面であること、
を特徴とする請求項１ないし請求項８のいずれかに記載のレセプタクル。
【請求項１０】
前記第１の貫通孔は、前記固定部に隣接する位置に設けられており、
前記固定部には、第３の貫通孔が設けられていること、
を特徴とする請求項１ないし請求項９のいずれかに記載のレセプタクル。
【請求項１１】
前記基板上に実装され、前記光電変換素子を駆動する駆動回路と、
前記基板上に設けられ前記光電変換素子及び前記駆動回路を覆っている封止樹脂と、
を更に備えており、
前記封止樹脂は、前記光電変換素子を覆う第１の封止部及び前記駆動回路を覆う第２の封止部を含んでおり、
前記第１の封止部の厚みは、前記第２の封止部の厚みよりも薄いこと、
を特徴とする請求項１ないし請求項１０のいずれかに記載のレセプタクル。
【請求項１２】
前記位置決め部材は、前記第１の封止部と対向するレンズを、更に含んでいること、
を特徴とする請求項１１に記載のレセプタクル。
【請求項１３】
前記レンズは、前記基板に平行な方向から見たときに、前記第２の封止部と重なっていること、
を特徴とする請求項１２に記載のレセプタクル。
【発明の詳細な説明】
【技術分野】
【０００１】
本発明は、光ファイバの先端に設けられたプラグが接続されるレセプタクルに関する。
【背景技術】
【０００２】
従来のレセプタクルに関する発明としては、例えば、特許文献１に記載の光伝送モジュールが知られている。該光伝送モジュールには、光ケーブルとプラグを有する光ケーブル接続デバイスが接続される。光伝送モジュールは、金属カバー、受光素子アレイ、レセプタクルレンズ及び実装基板を備えている。受光素子アレイは、実装基板の上面に実装される。レセプタクルレンズは、受光素子アレイの上側を覆うように実装基板の上面に固定され、光ケーブルと受光素子アレイとを光学的に結合させる。金属カバーは、１枚の金属板が折り曲げ加工して作製され、レセプタクルレンズを覆っている。金属カバーは、実装基板に対して接着剤により固定される。金属カバーは、光ケーブル接続デバイスを固定する役割を果たす。
【先行技術文献】
【特許文献】
【０００３】
【特許文献１】特開２０１５−１６１９０９号公報
【発明の開示】
【発明が解決しようとする課題】
【０００４】
ところで、特許文献１に記載の光伝送モジュールでは、金属カバーが実装基板から外れるおそれがある。より詳細には、接着剤は、例えば、樹脂により構成されている。このような接着剤は、樹脂等により作製される実装基板に対しては優れた接着強度を有しているのに対して、金属により作製される金属カバーに対しては十分な接着強度を有していないことがある。この場合、光伝送モジュールの使用時に金属カバーに力が加わると、金属カバーが実装基板から外れるおそれがある。このように、特許文献１に記載の光伝送モジュールでは、金属カバーと、金属カバーの材質とは異なる材質の部材（特許文献１に記載の光伝送モジュールでは、実装基板）とを単に接着剤で接続する構成に過ぎない。そのため、金属カバーを実装基板に十分に固定することが困難であった。【０００５】
そこで、本発明の目的は、金属カバーが脱落することを抑制できるレセプタクルを提供することである。
【課題を解決するための手段】
【０００６】
本発明の一形態に係るレセプタクルは、光ファイバの先端に設けられたプラグが接続されるレセプタクルであって、基板と、前記基板上に実装されている光電変換素子と、前記基板上に設けられ、かつ、樹脂を材料として含む位置決め部材であって、前記光ファイバと前記光電変換素子とが光学的に結合するように前記プラグを位置決めする位置決め部材と、前記プラグを保持する金属カバーと、前記位置決め部材と前記金属カバーとを接着する接着剤と、を備えており、前記金属カバーは、前記位置決め部材と対向する第１の対向部を有しており、前記第１の対向部は、該位置決め部材に近づくように窪んでいる固定部を含んでおり、前記第１の対向部には、前記固定部に隣接する位置又は該固定部に第１の貫通孔が設けられており、前記固定部は、前記位置決め部材に臨む第１の面、及び、該第１の面の反対側に位置する第２の面を有しており、前記接着剤は、前記第１の貫通孔を通過することにより前記第１の面及び前記第２の面に接触していると共に、前記位置決め部材に接触していること、を特徴とする。
【発明の効果】
【０００７】
本発明によれば、金属カバーが脱落することを抑制できる。
【図面の簡単な説明】
【０００８】
【図１】図１は、光伝送モジュール１０の外観斜視図である。
【図２】図２は、光伝送モジュール１０を上側から見た図である。
【図３】図３は、プラグ８がレセプタクル６に装着される前の状態の光伝送モジュール１０の外観斜視図である。
【図４】図４は、図２のＣ−Ｃ，Ｄ−Ｄにおける断面構造図である。
【図５】図５は、回路基板１２の外観斜視図である。
【図６】図６は、封止樹脂２７が設けられた状態の回路基板１２の外観斜視図である。
【図７】図７は、レセプタクルレンズ２２が実装された状態の回路基板１２の外観斜視図である。
【図８】図８は、レセプタクル６の外観斜視図である。
【図９Ａ】図９Ａは、図２のＡ−Ａにおける断面構造図である。
【図９Ｂ】図９Ｂは、図２のＢ−Ｂにおける断面構造図である。
【図１０】図１０は、図１において、金属カバー２０を取り除いた図である。
【図１１】図１１は、比較例に係るレセプタクル１０６の断面構造図である。
【図１２】図１２は、レセプタクル６ａの固定部７０ａ，７０ｂの周辺における断面構造図である。
【図１３】図１３は、レセプタクル６ｂの固定部７０ａ，７０ｂの周辺における断面構造図である。
【図１４】図１４は、レセプタクル６ｃの固定部７０ａ，７０ｂの周辺における断面構造図である。
【図１５Ａ】図１５Ａは、レセプタクル６ｄの固定部７０ａを上側から見た図である。
【図１５Ｂ】図１５Ｂは、図１５ＡのＥ−Ｅにおける断面構造図である。
【図１６】図１６は、レセプタクル６ｅを備えた光伝送モジュール１０を上側から見た図である。
【図１７】図１７は、レセプタクル６ｆを備えた光伝送モジュール１０を上側から見た図である。
【発明を実施するための形態】
【０００９】
（光伝送モジュールの構成）
以下に、一実施形態に係るレセプタクルを備えた光伝送モジュールの構成について、図面を参照しながら説明する。図１は、光伝送モジュール１０の外観斜視図である。図２は、光伝送モジュール１０を上側から見た図である。図３は、プラグ８がレセプタクル６に装着される前の状態の光伝送モジュール１０の外観斜視図である。図４は、図２のＣ−Ｃ，Ｄ−Ｄにおける断面構造図である。
【００１０】
以下では、光伝送モジュール１０の回路基板１２の主面の法線方向を上下方向と定義する。また、光伝送モジュール１０において、レセプタクル６とプラグ８とが並ぶ方向を前後方向と定義する。また、上下方向及び前後方向に直交する方向を左右方向と定義する。上下方向、前後方向及び左右方向は互いに直交している。なお、方向の定義は一例であり、光伝送モジュール１０の使用時における上下方向、前後方向及び左右方向と、定義した上下方向、前後方向及び左右方向とが一致していなくてもよい。
【００１１】
光伝送モジュール１０は、図１ないし図３に示すように、レセプタクル６、プラグ８及び光ファイバ１８ａ，１８ｂを備えている。
【００１２】
まず、プラグ８及び光ファイバ１８ａ，１８ｂについて、図面を参照しながら説明する。プラグ８は、光ファイバ１８ａ，１８ｂの先端に設けられるコネクタであり、図３に示すように、透明な樹脂を材料として含む部材である。プラグ８の材料は、例えば、ポリエーテルイミド樹脂や、シクロオレフィンポリマー樹脂等である。
【００１３】
プラグ８は、位置決め面Ｓ１，Ｓ３及び入出光面Ｓ５を有している。入出光面Ｓ５は、前側を向く法線ベクトルを有する平面である。位置決め面Ｓ１は、入出光面Ｓ５に対して右側に位置しており、右側を向く法線ベクトルを有する平面である。位置決め面Ｓ１は、プラグ８の右面の前端近傍を占めている。位置決め面Ｓ３は、入出光面Ｓ５に対して左側に位置しており、左前側を向く法線ベクトルを有する平面である。入出光面Ｓ５は、位置決め面Ｓ１，Ｓ３よりも前側に位置している。なお、プラグ８は、位置決め面Ｓ１，Ｓ３及び入出光面Ｓ５以外にも面を有しているが、説明に必要な面にのみ参照符号を付した。
【００１４】
プラグ８は、凸部４０，４２を含んでいる。凸部４０は、プラグ８の左面に設けられており、左側に向かって突出している。凸部４２は、プラグ８の右面に設けられており、右側に向かって突出している。
【００１５】
プラグ８は、図４に示すように、レンズアレイ３８ａ，３８ｂを含んでいる。レンズアレイ３８ａは、入出光面Ｓ５の左半分の領域に設けられており、左右に並ぶ２つの凸レンズにより構成されている。レンズアレイ３８ｂは、入出光面Ｓ５の右半分の領域に設けられており、左右に並ぶ２つの凸レンズにより構成されている。
【００１６】
プラグ８の上面には凹部３２ａ，３２ｂが設けられている。凹部３２ａは、プラグ８の上面の左半分に設けられており、前後方向に延在する窪みである。凹部３２ｂは、プラグ８の上面の右半分に設けられており、前後方向に延在する窪みである。凹部３２ａ，３２ｂは、プラグ８の後面まで達している。これにより、プラグ８の後面の一部は切り欠かれている。
【００１７】
光ファイバ１８ａ，１８ｂはそれぞれ、２本の芯線及び該２本の芯線を覆う被覆材により構成されている。芯線は、コア及びクラッドにより構成されている。芯線の材料は、フッ素系樹脂等の樹脂、ガラス等である。また、被覆材の材料は、ポリエチレン系樹脂等の樹脂である。光ファイバ１８ａは、光ファイバ１８ｂに対して左側に位置している。光ファイバ１８ａ，１８ｂの先端近傍はそれぞれ、図４に示すように、被覆材が除去されて芯線が露出しており、凹部３２ａ，３２ｂ内に位置している。このとき、光ファイバ１８ａ，１８ｂの光軸はそれぞれ、レンズアレイ３８ａ，３８ｂの光軸と一致している。
【００１８】
また、凹部３２ａ，３２ｂには、透光性を有する樹脂４１が注入されている。樹脂４１は、例えば、透明な樹脂である。これにより、光ファイバ１８ａ，１８ｂはそれぞれ、凹部３２ａ，３２ｂ内に固定されている。以上の構造により、プラグ８は、光ファイバ１８ａ，１８ｂの先端に設けられている。
【００１９】
次に、レセプタクル６について図面を参照しながら説明する。図５は、回路基板１２の外観斜視図である。図５では、回路基板１２の構造を理解しやすくするために、左側の長辺近傍がカットされた状態で図示されている。図６は、封止樹脂２７が設けられた状態の回路基板１２の外観斜視図である。図７は、レセプタクルレンズ２２が実装された状態の回路基板１２の外観斜視図である。
【００２０】
レセプタクル６は、プラグ８が接続されるコネクタであり、回路基板１２、金属カバー２０、レセプタクルレンズ２２、受光素子アレイ２４ａ、発光素子アレイ２４ｂ、駆動回路２６ａ，２６ｂ、封止樹脂２７及び接着剤１００ａ，１００ｂを備えている。
【００２１】
回路基板１２（基板の一例）は、ＢＴ（Ｂｉｓｍａｌｅｉｍｉｄｅ−Ｔｒｉａｚｉｎｅ）樹脂、セラミックス等を材料として含む板状の部材である。図５及び図６に示すように、回路基板１２は、上側から見たとき、矩形状をなしている。以下では、回路基板１２の上側の主面を表面と呼び、回路基板１２の下側の主面を裏面と呼ぶ。回路基板１２の裏面には、レセプタクル６をマザーボードに実装する際に、マザーボードのランドと電気的に接続される表面実装用電極（不図示）が設けられている。
【００２２】
回路基板１２の表面には、２つの凹部１３ａ，１３ｂが設けられている。凹部１３ａは、回路基板１２の表面において中央に対する左前側の一部が窪むことにより設けられている。凹部１３ｂは、回路基板１２の表面において中央に対して右前側の一部が窪むことにより設けられている。更に、図５及び図６に示すように、回路基板１２の表面の左前側の角近傍及び右前側の角近傍のそれぞれには、接地電極８０，８２が設けられている。接地電極８０，８２の電位は接地電位に保たれる。
【００２３】
受光素子アレイ２４ａは、図５に示すように、回路基板１２の表面上、より詳細には、凹部１３ａの底面上（すなわち、基板上）に実装されている光電変換素子である。受光素子アレイ２４ａは、光信号を電気信号に変換する複数（本実施形態では２つ）のフォトダイオードを含んだ素子である。２つのフォトダイオードは、左右方向に並んでいる。
【００２４】
発光素子アレイ２４ｂは、回路基板１２の表面上、より詳細には、凹部１３ｂの底面上に実装されている光電変換素子である。発光素子アレイ２４ｂは、電気信号を光信号に変換する複数（本実施形態では２つ）のレーザダイオードを含んだ素子である。２つのレーザダイオードは、左右方向に並んでいる。
【００２５】
駆動回路２６ａ，２６ｂはそれぞれ、回路基板１２の表面上、より詳細には、凹部１３ａ，１３ｂの底面上に実装されており、受光素子アレイ２４ａ及び発光素子アレイ２４ｂに対して前側に位置している。駆動回路２６ａ，２６ｂはそれぞれ、受光素子アレイ２４ａ及び発光素子アレイ２４ｂを駆動するための半導体集積回路である。駆動回路２６ａ，２６ｂと回路基板１２とは、回路基板１２に設けられている配線やワイヤー等により接続されている。ワイヤーの材料は、例えば、Ａｕである。
【００２６】
封止樹脂２７は、図６に示すように、受光素子アレイ２４ａ、発光素子アレイ２４ｂ及び駆動回路２６ａ，２６ｂを覆っており、上側から見たときに、左右方向に伸びる長方形状をなしている。封止樹脂２７は、封止部２７ａ，２７ｂを含んでいる。封止部２７ａ（第１の封止部の一例）は、受光素子アレイ２４ａ及び発光素子アレイ２４ｂを覆っている。封止部２７ｂ（第２の封止部の一例）は、駆動回路２６ａ，２６ｂを覆っている。よって、封止部２７ａは、封止部２７ｂに対して後ろ側に位置している。そして、封止部２７ａの上下方向の厚みは、図４に示すように、封止部２７ｂの上下方向の厚みよりも薄い。封止樹脂２７は、例えば、透明なエポキシ系樹脂である。
【００２７】
レセプタクルレンズ２２は、樹脂を材料として含んでおり、図７に示すように、光ファイバ１８ａと受光素子アレイ２４ａとが光学的に結合し、かつ、光ファイバ１８ｂと発光素子アレイ２４ｂとが光学的に結合するようにプラグ８を位置決めする位置決め部材である。レセプタクルレンズ２２の材料は、例えば、透光性を有するエポキシ系樹脂である。レセプタクルレンズ２２は、板状をなしており、位置決め面Ｓ１１，Ｓ１３、入出光面Ｓ１５及び上面Ｓ１７を有している。
【００２８】
上面Ｓ１７は、上側を向く法線ベクトルを有する平面であり、レセプタクルレンズ２２において上側（基板から位置決め部材に向かう方向の一例）に位置する面である。上面Ｓ１７（第２の対向部の一例）は、後述する金属カバー２０の上面５０と対向する面である。位置決め面Ｓ１１，Ｓ１３及び入出光面Ｓ１５は、レセプタクルレンズ２２の後面の一部である。入出光面Ｓ１５は、後ろ側を向く法線ベクトルを有する平面である。位置決め面Ｓ１１は、入出光面Ｓ１５に対して右側に位置しており、左側を向く法線ベクトルを有する平面である。位置決め面Ｓ１３は、入出光面Ｓ１５に対して左側に位置しており、右後ろ側を向く法線ベクトルを有する平面である。入出光面Ｓ１５は、位置決め面Ｓ１１，Ｓ１３よりも前側に位置している。これにより、上側から見たときに、レセプタクルレンズ２２の後ろ側の辺は、台形状に窪んでいる。なお、レセプタクルレンズ２２は、位置決め面Ｓ１１，Ｓ１３、入出光面Ｓ１５及び上面Ｓ１７以外にも面を有しているが、説明に必要な面にのみ参照符号を付した。
【００２９】
レセプタクルレンズ２２は、全反射面３９ａ，３９ｂ、レンズアレイ４１ａ，４１ｂ（図４参照）及び突起４７，４８を含んでいる。全反射面３９ａ，３９ｂは、上面Ｓ１７に設けられており、上面Ｓ１７の一部分が窪むことにより形成されている平面である。全反射面３９ａは、全反射面３９ｂに対して左側に位置している。また、全反射面３９ａ，３９ｂは、入出光面Ｓ１５に対して前側に位置している。全反射面３９ａ，３９ｂの法線ベクトルは、図４に示すように、上前側を向いており、前後方向及び左右方向に平行な平面に対して４５°の角度をなしている。
【００３０】
レンズアレイ４１ａ，４１ｂはそれぞれ、図４に示すように、レセプタクルレンズ２２の下面に設けられており、全反射面３９ａ，３９ｂの真下に位置している。そのため、レンズアレイ４１ａは、レンズアレイ４１ｂに対して左側に位置している。レンズアレイ４１ａ，４１ｂはそれぞれ、２つの凸レンズが左右側に並ぶことにより構成されている。凸レンズは、レセプタクルレンズ２２の下面が下側に突出することにより形成されている。
【００３１】
また、突起４７は、上面Ｓ１７の左後ろ側の角近傍に設けられている。突起４８は、上面Ｓ１７の右後ろ側の角近傍に設けられている。突起４７，４８は、円柱状又は円錐台状の形状をなしており、上面Ｓ１７から上側に向かって突出している。本実施形態では、突起４７，４８は、円錐台状をなしている。そのため、突起４７，４８の直径は、上側に行くにしたがって小さくなっている。
【００３２】
また、レセプタクルレンズ２２には、凹部４４ａ，４４ｂが設けられている。凹部４４ａは、レセプタクルレンズ２２の上面Ｓ１７の左前側の角近傍に設けられている。凹部４４ｂは、レセプタクルレンズ２２の上面Ｓ１７の右前側の角近傍に設けられている。凹部４４ａ，４４ｂが設けられている位置は、上面Ｓ１７において後述する金属カバー２０の固定部７０ａ，７０ｂと対向する位置である。凹部４４ａ，４４ｂはそれぞれ、上面Ｓ１７が下側に窪むことにより形成されており、上側から見たときに、長方形状をなしている。
【００３３】
以上のようなレセプタクルレンズ２２は、図４及び図７に示すように、封止樹脂２７を上側から覆うように、回路基板１２の表面上に固定される。より詳細には、レンズアレイ４１ａの焦点が受光素子アレイ２４ａの受光面と一致し、かつ、レンズアレイ４１ｂの焦点が発光素子アレイ２４ｂの発光面と一致するように、レセプタクルレンズ２２と受光素子アレイ２４ａ及び発光素子アレイ２４ｂとが位置合わせされる。そして、レセプタクルレンズ２２は、回路基板１２の表面に樹脂を材料として含む接着剤により固定される。これにより、レンズアレイ４１ａ，４１ｂはそれぞれ、受光素子アレイ２４ａ及び発光素子アレイ２４ｂの上側に位置し、かつ、封止樹脂２７の封止部２７ａと対向している。
【００３４】
更に、レンズアレイ４１ａ，４１ｂは、前後方向又は左右方向（基板に平行な方向の一例）から見たときに、封止部２７ｂと重なっている。すなわち、レンズアレイ４１ａ，４１ｂの下端は、封止部２７ｂの上面よりも下側に位置している。
【００３５】
次に、金属カバー２０について、図面を参照しながら説明する。図８は、レセプタクル６の外観斜視図である。図９Ａは、図２のＡ−Ａにおける断面構造図である。図９Ｂは、図２のＢ−Ｂにおける断面構造図である。図８では、固定部７０ａ，７０ｂの形状を理解しやすくするために、接着剤１００ａ，１００ｂを記載していない。
【００３６】
金属カバー２０は、一枚の金属板（例えば、ＳＵＳ３０１）が折り曲げ加工されることにより作製されており、プラグ８を保持する。金属カバー２０は、上面５０、左面５２、右面５４、係合部５６，５８及び接続部６４，６５を有している。上面５０（第１の対向部の一例）は、略長方形状をなしており、レセプタクルレンズ２２の上面Ｓ１７と対向する。左面５２は、略長方形状をなしており、上面５０の左側の辺から下側に向かって折れ曲がっている。右面５４は、略長方形状をなしており、上面５０の右側の辺から下側に向かって折れ曲がっている。これにより、上面５０、左面５２及び右面５４は、前側から見たときに、下側に開口した角張ったＵ字型をなしている。
【００３７】
係合部５６は、左面５２の前側に設けられており、後ろ側に向かって延在した後、右前側に向かって折り曲げられている。更に、係合部５６の右前側の端部は、左側に向かって折れ曲がっている。
【００３８】
係合部５８は、右面５４の後ろ側に設けられており、後ろ側に向かって延在した後、左前側に向かって折れ曲がっている。更に、係合部５８の左前側の端部は、右側に向かって折れ曲がっている。
【００３９】
接続部６４は、上面５０の左前側の角から下側に向かって折れ曲がっている。接続部６５は、上面５０の右前側の角から下側に向かって折れ曲がっている。
【００４０】
また、上面５０は、係合片６３ａ，６３ｂ及び固定部７０ａ，７０ｂを含んでいる。また、上面５０には、貫通孔Ｈ１，Ｈ２，Ｈ１０，Ｈ１２，Ｈ１４，Ｈ１６が設けられている。係合片６３ａ，６３ｂは、上面５０にＵ字型のスリットが形成されることにより形成された金属片である。係合片６３ａ，６３ｂは、上面５０から下側にわずかに折れ曲がっている。
【００４１】
貫通孔Ｈ１は、上面５０の左側の辺の中央近傍に設けられている円形の孔である。貫通孔Ｈ２は、上面５０の右側の辺の中央近傍に設けられている円形の孔である。貫通孔Ｈ１，Ｈ２が設けられている位置は、レセプタクルレンズ２２の突起４７，４８に対応する位置である。
【００４２】
貫通孔Ｈ１０，Ｈ１２（貫通孔Ｈ１０が第１の貫通孔の一例・貫通孔Ｈ１２が第２の貫通孔の一例）は、上面５０の左前側の角近傍に設けられており、前後方向に伸びる細長い形状を有する孔である。貫通孔Ｈ１２は、貫通孔Ｈ１０と平行であり、貫通孔Ｈ１０に対して右側に位置している。固定部７０ａは、貫通孔Ｈ１０，Ｈ１２により挟まれた部分であり、前後方向に延在する帯状をなしている。従って、貫通孔Ｈ１０，Ｈ１２は、固定部７０ａに隣接している。また、固定部７０ａは、図８及び図９Ａに示すように、周縁部Ｐ１（第２の周縁部の一例）よりも下側に窪んでいる。周縁部Ｐ１は、上面５０において固定部７０ａ及び貫通孔Ｈ１０，Ｈ１２の周囲の部分である。固定部７０ａの前端及び後端は、上下方向において、周縁部Ｐ１と同じ高さに位置している。ただし、固定部７０ａの前端及び後端を除く部分は、周縁部Ｐ１よりも下側に位置している。
【００４３】
貫通孔Ｈ１４，Ｈ１６は、上面５０の右前側の角近傍に設けられており、前後方向に伸びる細長い形状を有する孔である。貫通孔Ｈ１６は、貫通孔Ｈ１４と平行であり、貫通孔Ｈ１４に対して右側に位置している。固定部７０ｂは、貫通孔Ｈ１４，Ｈ１６により挟まれた部分であり、前後方向に延在する帯状をなしている。従って、貫通孔Ｈ１４，Ｈ１６は、固定部７０ｂに隣接している。また、固定部７０ｂは、図８及び図９Ｂに示すように、周縁部Ｐ２よりも下側に窪んでいる。周縁部Ｐ２は、上面５０において固定部７０ｂ及び貫通孔Ｈ１２，Ｈ１４の周囲の部分である。固定部７０ｂの前端及び後端は、上下方向において、周縁部Ｐ２と同じ高さに位置している。ただし、固定部７０ｂの前端及び後端を除く部分は、周縁部Ｐ２よりも下側に位置している。
【００４４】
以上のように構成された金属カバー２０は、レセプタクルレンズ２２に対して接着剤１００ａ，１００ｂ（図１参照・図８では、固定部７０ａ，７０ｂを可視化するために省略）により固定される。より詳細には、金属カバー２０は、レセプタクルレンズ２２を覆うように配置される。この際、貫通孔Ｈ１，Ｈ２のそれぞれに突起４７，４８が挿入される。これにより、金属カバー２０とレセプタクルレンズ２２とが位置合わせされる。また、金属カバー２０の上面５０とレセプタクルレンズ２２の上面Ｓ１７とが対向する。本実施形態では、図９Ａ及び図９Ｂに示すように、上面５０と上面Ｓ１７とは略全面において接触している。
【００４５】
また、図９Ａ及び図９Ｂに示すように、固定部７０ａ，７０ｂはそれぞれ、レセプタクルレンズ２２に近づくように下側に向かって窪んでいるので、凹部４４ａ，４４ｂ内に位置している。本実施形態では、固定部７０ａ，７０ｂはそれぞれ、凹部４４ａ，４４ｂの底面に接触している。以下では、固定部７０ａ，７０ｂにおいてレセプタクルレンズ２２に臨む面をそれぞれ面Ｆ１，Ｆ３（第１の面の一例）と呼び、面Ｆ１，Ｆ３の反対側の面を面Ｆ２，Ｆ４（第２の面の一例）と呼ぶ。レセプタクルレンズ２２に臨む面とは、レセプタクルレンズ２２に向かう法線ベクトルを有する面を意味し、具体的には法線ベクトルが下側に向かう成分を有する面を意味する。
【００４６】
接着剤１００ａはそれぞれ、樹脂により構成されており、貫通孔Ｈ１０，Ｈ１２を通過することにより面Ｆ１，Ｆ２の少なくとも一部に接触していると共に、レセプタクルレンズ２２の上面Ｓ１７（凹部４４ａの底面）に接触している。接着剤１００ａの材料は、例えば、樹脂（エポキシ系樹脂等）である。但し、樹脂に限定されず、例えば、セラミック系接着剤等、適宜選択しても構わない。より詳細には、接着剤１００ａは、凹部４４ａ内に充填されているので、上面Ｓ１７及び固定部７０ａの面Ｆ１に接触している。また、接着剤１００ａは、固定部７０ａの上側に設けられているので、固定部７０ａの面Ｆ２に接触している。また、貫通孔Ｈ１０，Ｈ１２はそれぞれ、固定部７０ａの左側及び右側に位置している。接着剤１００ａは、貫通孔Ｈ１０，Ｈ１２内にも存在しているので、固定部７０ａの左面及び右面にも接触している。このように、接着剤１００ａは、前側から見たときに、固定部７０ａの周囲を１周する環状をなしている。これにより、接着剤１００ａは、金属カバー２０とレセプタクルレンズ２２とを接着している。ただし、接着剤１００ａは、周縁部Ｐ１よりも下側（上面５０から上面Ｓ１７に向かう方向の一例）に位置している。すなわち、接着剤１００ａは、上面５０よりも上側に突出していない。
【００４７】
また、前記の通り、本実施形態では、図９Ａに示すように、上面５０と上面Ｓ１７とは接触している。従って、周縁部Ｐ３（第１の周縁部の一例）は、上面５０に接触している。周縁部Ｐ３は、上面Ｓ１７において凹部４４ａの周囲に位置する部分である。よって、周縁部Ｐ３と上面５０との間には殆ど隙間が存在しない。そのため、本実施形態においては、接着剤１００ａは、周縁部Ｐ３と上面５０との間には侵入していない。
【００４８】
接着剤１００ｂはそれぞれ、樹脂により構成されており、貫通孔Ｈ１４，Ｈ１６を通過することにより面Ｆ３，Ｆ４の少なくとも一部に接触していると共に、レセプタクルレンズ２２の上面Ｓ１７（凹部４４ｂの底面）に接触している。接着剤１００ｂの材料は、例えば、エポキシ系樹脂である。より詳細には、接着剤１００ｂは、凹部４４ｂ内に充填されているので、上面Ｓ１７及び固定部７０ｂの面Ｆ３に接触している。また、接着剤１００ｂは、固定部７０ｂの上側に設けられているので、固定部７０ｂの面Ｆ４に接触している。また、貫通孔Ｈ１４，Ｈ１６はそれぞれ、固定部７０ｂの左側及び右側に位置している。接着剤１００ｂは、貫通孔Ｈ１４，Ｈ１６内にも存在しているので、固定部７０ｂの左面及び右面にも接触している。このように、接着剤１００ｂは、前側から見たときに、固定部７０ｂの周囲を１周する環状をなしている。これにより、接着剤１００ｂは、金属カバー２０とレセプタクルレンズ２２とを接着している。ただし、接着剤１００ｂは、周縁部Ｐ２よりも下側に位置している。すなわち、接着剤１００ｂは、上面５０よりも上側に突出していない。
【００４９】
また、前記の通り、本実施形態では、図９Ｂに示すように、上面５０と上面Ｓ１７とは接触している。従って、周縁部Ｐ４は、上面５０に接触している。周縁部Ｐ４は、上面Ｓ１７において凹部４４ｂの周囲に位置する部分である。よって、周縁部Ｐ４と上面５０との間には殆ど隙間が存在しない。そのため、本実施形態においては、接着剤１００ｂは、周縁部Ｐ４と上面５０との間には侵入していない。
【００５０】
また、接続部６４，６５の下端はそれぞれ、図８に示すように、接地電極８０，８２に対してはんだにより固定されている。これにより、金属カバー２０は、接地電位に接続されている。
【００５１】
次に、レセプタクル６とプラグ８との接続について図面を参照しながら説明する。図１０は、図１において、金属カバー２０を取り除いた図である。
【００５２】
プラグ８がレセプタクル６に接続される際には、図３に示すように、プラグ８がレセプタクル６の後ろ側から挿入される。プラグ８が前進させられると、プラグ８の位置決め面Ｓ３がレセプタクルレンズ２２の位置決め面Ｓ１３に接触する。プラグ８は、この状態で前進させられると、位置決め面Ｓ１３に沿って右側に移動させられる。そして、プラグ８の位置決め面Ｓ１がレセプタクルレンズ２２の位置決め面Ｓ１１に接触すると、プラグ８の右側への移動が停止すると共に、プラグ８の前側への移動が停止する。これにより、図１０に示すように、プラグ８とレセプタクルレンズ２２との前後方向及び左右方向における位置が定まる。そして、図１に示すように、金属カバー２０の係合部５６，５８がそれぞれ、プラグ８の凸部４０，４２に対して後ろ側から接触する。更に、金属カバー２０の係合片６３ａ，６３ｂが、プラグ８の上面に圧接する。これにより、プラグ８がレセプタクル６から抜けることが抑制されている。
【００５３】
ここで、プラグ８とレセプタクル６とが接続されると、光ファイバ１８ａと受光素子アレイ２４ａとが光学的に結合し、かつ、光ファイバ１８ｂと発光素子アレイ２４ｂとが光学的に結合する。具体的には、光ファイバ１８ａの先端から放射された光Ｂ１は、図４に示すように、前側に向かって進行し、レンズアレイ３８ａを通過する。レンズアレイ３８ａは、光Ｂ１をコリメートして平行光に近づける。この後、光Ｂ１は、入出光面Ｓ１５からプラグ８内に入射する。
【００５４】
入出光面Ｓ１５の前側には、全反射面３９ａが設けられている。光Ｂ１は、全反射面３９ａにおいて下側に向かって反射され、レンズアレイ４１ａを通過する。レンズアレイ４１ａは、光Ｂ１を受光素子アレイ２４ａに集光する。受光素子アレイ２４ａは、入射してきた光Ｂ１に基づいて電気信号に生成する。
【００５５】
また、発光素子アレイ２４ｂは、電気信号に基づいて光Ｂ２を生成し、光Ｂ２を放射する。光Ｂ２は、図４に示すように、上側に向かって進行し、レンズアレイ４１ｂを通過する。レンズアレイ４１ｂは、光Ｂ２をコリメートして平行光に近づける。
【００５６】
レンズアレイ４１ｂの上側には、全反射面３９ｂが設けられている。光Ｂ２は、全反射面３９ｂにおいて後ろ側に向かって反射され、入出光面Ｓ１５からプラグ８外に出射する。この後、光Ｂ２は、レンズアレイ３８ｂを通過する。レンズアレイ３８ｂは、光Ｂ２を光ファイバ１８ｂの先端に集光する。この後、光Ｂ２は、光信号として光ファイバ１８ｂ内を伝送される。
【００５７】
（効果）
本実施形態に係るレセプタクル６によれば、金属カバー２０がレセプタクルレンズ２２から脱落することを抑制できる。図１１は、比較例に係るレセプタクル１０６の断面構造図である。レセプタクル１０６においてレセプタクル６に対応する構成については、レセプタクル６の参照符号に１００を足した参照符号を用いた。
【００５８】
レセプタクル１０６は、金属カバー１２０の上面１５０が接着剤３００によりレセプタクルレンズ１２２の上面に接着されている。このようなレセプタクル１０６では、接着剤３００を塗布することができる面積が大きくなるので、金属カバー１２０とレセプタクルレンズ１２２との接着強度を向上させることができる。
【００５９】
しかしながら、接着剤３００は、樹脂により作製されるレセプタクルレンズ１２２に対しては優れた接着強度を有しているのに対して、金属により作製される金属カバー１２０に対しては十分な接着強度を有していないことがある。そのため、接着剤３００と金属カバー１２０とが剥離するおそれがある。
【００６０】
そこで、レセプタクル６では、金属カバー２０の上面５０には、固定部７０ａが設けられていると共に、固定部７０ａに隣接する位置に貫通孔Ｈ１０，Ｈ１２が設けられている。そして、接着剤１００ａは、貫通孔Ｈ１０，Ｈ１２を通過することにより固定部７０ａの面Ｆ１，Ｆ２に接触していると共に、レセプタクル６に接触している。これにより、接着剤１００ａは、固定部７０ａの周囲を１周するようになる。よって、接着剤１００ａが破損しない限り固定部７０ａが接着剤１００ａから外れなくなる。そのため、固定部７０ａと接着剤１００ａとが剥離することが抑制される。その結果、レセプタクル６によれば、金属カバー２０がレセプタクルレンズ２２から脱落することを抑制できる。なお、固定部７０ｂが設けられているので、固定部７０ａと同じ理由により、金属カバー２０がレセプタクルレンズ２２から脱落することを抑制できる。
【００６１】
また、レセプタクル６では、レセプタクル６の上下方向の高さを低くすること（以下、低背化と呼ぶ）ができる。以下に、比較のための実施例に係るレセプタクルを例に挙げて説明する。該実施例に係るレセプタクルは、凹部４４ａ，４４ｂが設けられていない点においてレセプタクル６と相違する。このような実施例に係るレセプタクルでは、凹部が設けられていないので固定部がレセプタクルレンズに接触すると、金属カバーの上面とレセプタクルレンズの上面との間に隙間が形成される。
【００６２】
一方、レセプタクルレンズ２２の上面Ｓ１７において固定部７０ａ，７０ｂと対向する位置には凹部４４ａ，４４ｂが設けられている。そして、固定部７０ａ，７０ｂは、凹部４４ａ，４４ｂ内に位置している。これにより、上面５０と上面Ｓ１７とを接触させることができる。その結果、レセプタクル６の低背化が図られる。なお、前記実施例に係るレセプタクルは、本発明のレセプタクルの実施例である。すなわち、凹部４４ａ，４４ｂは、設けられていなくてもよく、必須の構成要件ではない。
【００６３】
また、レセプタクル６では、以下の理由によっても、レセプタクル６の低背化を図ることができる。より詳細には、図９Ａ及び図９Ｂに示すように、周縁部Ｐ３，Ｐ４は、上面５０に接触している。よって、周縁部Ｐ３，Ｐ４と上面５０との間には殆ど隙間が存在しない。そのため、接着剤１００ａ，１００ｂは、周縁部Ｐ３，Ｐ４と上面５０との間には侵入していない。これにより、接着剤１００ａ，１００ｂが周縁部Ｐ３，Ｐ４と上面５０との間に侵入することで、上面Ｓ１７と上面５０とが離れることが抑制される。その結果、レセプタクル６の低背化が図られる。
【００６４】
また、レセプタクル６では、以下の理由によっても、金属カバー２０がレセプタクルレンズ２２から脱落することを抑制できる。より詳細には、固定部７０ａ，７０ｂは、レセプタクルレンズ２２の上面Ｓ１７に対して接着剤１００ａ，１００ｂにより固定されている。上面Ｓ１７は、レセプタクルレンズ２２のその他の面（例えば、右面や左面）よりも大きな面積を有する。そのため、固定部７０ａ，７０ｂを大きくすることができる。その結果、接着剤１００ａ，１００ｂが塗布される面積が大きくなる。よって、金属カバー２０がレセプタクルレンズ２２から脱落することが抑制される。
【００６５】
また、レセプタクル６をマザーボードに容易に実装することが可能となる。より詳細には、接着剤１００ａは、上面５０において周縁部Ｐ１よりも下側に位置している。すなわち、接着剤１００ａは、上面５０よりも上側に突出していない。これにより、金属カバー２０の上面５０に凸部が形成されることが抑制される。レセプタクル６がマザーボードに実装される際には、金属カバー２０の上面５０が吸着ノズルにより吸着される。そのため、上面５０に凸部が形成されることが抑制されると、上面５０の吸着ミスが低減される。よって、レセプタクル６をマザーボードに容易に実装することが可能となる。
【００６６】
また、レセプタクル６では、以下の理由によっても、金属カバー２０がレセプタクルレンズ２２から脱落することを抑制できる。より詳細には、固定部７０ａは、貫通孔Ｈ１０，Ｈ１２により挟まれた部分であり、前後方向に延在する帯状をなしている。これにより、固定部７０ａは、前端及び後端が周縁部Ｐ１に接続された両持ち梁構造をなしている。従って、プラグ８の着脱等の際に、金属カバー２０がプラグ８から力を受けたとしても、固定部７０ａが変形することが抑制される。固定部７０ａが変形しにくくなると、固定部７０ａと接着剤１００ａとの剥離が発生しにくくなる。同じ理由により、固定部７０ｂと接着剤１００ｂとの剥離が発生しにくい。よって、金属カバー２０がレセプタクルレンズ２２から脱落することを抑制できる。
【００６７】
また、レセプタクル６では、凹部４４ａ，４４ｂ内に接着剤１００ａ，１００ｂが流し込まれる。そのため、接着剤１００ａ，１００ｂが上面Ｓ１７のうち、凹部４４ａ、４４ｂ以外の領域に広がることが抑制される。
【００６８】
また、レセプタクル６では、受光素子アレイ２４ａ及び発光素子アレイ２４ｂとレンズアレイ４１ａ，４１ｂとの光学的結合が強くなる。より詳細には、封止部２７ａは、受光素子アレイ２４ａ及び発光素子アレイ２４ｂを覆っている。封止部２７ｂは、駆動回路２６ａ，２６ｂを覆っている。そして、封止部２７ａの上下方向の厚みは、図４に示すように、封止部２７ｂの上下方向の厚みよりも薄い。これにより、レンズアレイ４１ａ，４１ｂを受光素子アレイ２４ａ及び発光素子アレイ２４ｂに近づけることが可能となる。その結果、受光素子アレイ２４ａ及び発光素子アレイ２４ｂとレンズアレイ４１ａ，４１ｂとの光学的結合が強くなる。
【００６９】
また、レセプタクル６では、封止樹脂２７の形成が容易である。より詳細には、封止部２７ｂの上下方向の厚みを封止部２７ａの上下方向の厚みと同様に薄くすると、封止樹脂２７の形成時に樹脂の流動性が悪くなる。そのため、封止樹脂２７の形成が困難になる。そこで、レセプタクル６では、封止樹脂２７全体の上下方向の厚みを薄くするのではなく、封止部２７ａの上下方向の厚みのみを薄くしている。これにより、封止樹脂２７の形成が容易となっている。
【００７０】
（第１の変形例）
以下に、第１の変形例に係るレセプタクル６ａについて図面を参照しながら説明する。図１２は、レセプタクル６ａの固定部７０ａ，７０ｂの周辺における断面構造図である。図１２は、図９Ａ及び図９Ｂの拡大図と対応している。ただし、図９Ｂに対応する断面については、左側から見た断面を示した。
【００７１】
レセプタクル６ａは、凹部４４ａ，４４ｂの深さにおいてレセプタクル６と相違する。以下に係る相違点を中心にレセプタクル６ａについて説明する。なお、凹部４４ａと凹部４４ｂとは同じ形状を有するので、凹部４４ａを例に挙げて説明する。
【００７２】
レセプタクル６ａの凹部４４ａは、レセプタクル６の凹部４４ａよりも深い。また、レセプタクル６ａの固定部７０ａも、レセプタクル６の固定部よりも下側に位置している。ただし、固定部７０ａは、凹部４４ａの底面には接触していない。これにより、接着剤１００ａは、固定部７０ａの下側と凹部４４ａの底面との間にも存在している。更に、接着剤１００ａは、上面Ｓ１７において凹部４４ａの周囲に位置する周縁部Ｐ３よりも下側に位置している。
【００７３】
以上のようなレセプタクル６ａでは、接着剤１００ａは、固定部７０ａの下側と凹部４４ａの底面との間にも存在している。そのため、レセプタクル６ａではレセプタクル６に比べて、接着剤１００ａが固定部７０ａに接触している面積が大きくなる。これにより、金属カバー２０がレセプタクルレンズ２２から脱落することが抑制される。
【００７４】
また、レセプタクル６ａでは、接着剤１００ａは、周縁部Ｐ３よりも下側に位置している。そのため、接着剤１００ａが周縁部Ｐ３と上面５０との間に侵入することが抑制される。その結果、接着剤１００ａが周縁部Ｐ３と上面５０との間に侵入することで、上面Ｓ１７と上面５０とが離れることが抑制される。よって、レセプタクル６の低背化が図られる。
【００７５】
（第２の変形例）
以下に、第２の変形例に係るレセプタクル６ｂについて図面を参照しながら説明する。図１３は、レセプタクル６ｂの固定部７０ａ，７０ｂの周辺における断面構造図である。図１３は、図９Ａ及び図９Ｂの拡大図と対応している。ただし、図９Ｂに対応する断面については、左側から見た断面を示した。
【００７６】
レセプタクル６ｂは、凹部４４ａ，４４ｂが設けられていない点においてレセプタクル６と相違する。以下に係る相違点を中心にレセプタクル６ｂについて説明する。なお、固定部７０ａと固定部７０ｂとは同じ形状を有するので、固定部７０ａを例に挙げて説明する。
【００７７】
レセプタクル６ｂでは、凹部４４ａが設けられていない。そのため、上面Ｓ１７において固定部７０ａの近傍が平坦面である。そこで、上面５０において、固定部７０ａが下側に窪むことができるように、固定部７０ａの周囲を上側に突出させている。このような構造を有するレセプタクル６ａにおいても、レセプタクル６と同様に、金属カバー２０がレセプタクルレンズ２２から脱落することを抑制できる。
【００７８】
（第３の変形例）
以下に、第３の変形例に係るレセプタクル６ｃについて図面を参照しながら説明する。図１４は、レセプタクル６ｃの固定部７０ａ，７０ｂの周辺における断面構造図である。
【００７９】
レセプタクル６ｃは、固定部７０ａ，７０ｂが設けられている位置においてレセプタクル６と相違する。以下に係る相違点を中心にレセプタクル６ｃについて説明する。なお、固定部７０ａと固定部７０ｂとは同じ形状を有するので、固定部７０ａを例に挙げて説明する。
【００８０】
レセプタクル６ｃでは、レセプタクルレンズ２２の上面Ｓ１７と左面Ｓ２７とが交差する角近傍が切り欠かれることにより、凹部４４ａが形成されている。これにより、上面Ｓ１７と左面Ｓ２７とが交差する角近傍が階段状をなしている。そして、凹部４４ａは、上面Ｓ１７に対して下側に窪んでおり、左面Ｓ２７に対して右側に窪んでいる。
【００８１】
また、固定部７０ａは、上面５０と左面５２とが交差する角近傍に設けられており、階段状をなしている。具体的には、固定部７０ａは、上面５０においてレセプタクルレンズ２２に近づくように下側に窪んでいると共に、左面５２においてレセプタクルレンズ２２に近づくように右側に窪んでいる。
【００８２】
また、接着剤１００ａは、図示しない貫通孔を通過することにより面Ｆ１，Ｆ２に接触していると共に、レセプタクルレンズ２２に接触している。以上のような構造を有するレセプタクル６ｃにおいても、レセプタクル６と同様に、金属カバー２０がレセプタクルレンズ２２から脱落することを抑制できる。
【００８３】
（第４の変形例）
以下に、第４の変形例に係るレセプタクル６ｄについて図面を参照しながら説明する。図１５Ａは、レセプタクル６ｄの固定部７０ａを上側から見た図である。図１５Ｂは、図１５ＡのＥ−Ｅにおける断面構造図である。
【００８４】
レセプタクル６ｄは、固定部７０ａ，７０ｂの形状においてレセプタクル６と相違する。以下に係る相違点を中心にレセプタクル６ｄについて説明する。なお、固定部７０ａと固定部７０ｂとは同じ形状を有するので、固定部７０ａを例に挙げて説明する。
【００８５】
レセプタクル６ｄでは、貫通孔Ｈ１０のみが設けられており、貫通孔Ｈ１２が設けられていない。また、レセプタクル６における貫通孔Ｈ１０，Ｈ１２は、上面５０に対して打ち抜き加工が施されることによって形成されている。一方、レセプタクル６ｄの貫通孔Ｈ１０は、上側から上面５０が金型によりプレスされて固定部７０ａが形成される際に、上面５０が裂けることで形成されるスリットである。
【００８６】
以上のような構造を有するレセプタクル６ｄにおいても、レセプタクル６と同様に、金属カバー２０がレセプタクルレンズ２２から脱落することを抑制できる。より詳細には、レセプタクル６では、接着剤１００ａは、固定部７０ａの周囲を１周していた。一方、レセプタクル６ｄでは、貫通孔Ｈ１０のみが設けられているので、接着剤１００ａは、固定部７０ａの周囲を１周していない。しかしながら、レセプタクル６ｄにおいても、接着剤１００ａは、貫通孔Ｈ１０を通過することによって、固定部７０ａの面Ｆ１，Ｆ２に接触している。従って、固定部７０ａが接着剤１００ａから離脱するためには、接着剤１００ａが破損しなければならない。故に、レセプタクル６ｄにおいても、レセプタクル６と同様に、金属カバー２０がレセプタクルレンズ２２から脱落することを抑制できる。
【００８７】
（第５の変形例）
以下に、第５の変形例に係るレセプタクル６ｅについて図面を参照しながら説明する。図１６は、レセプタクル６ｅを備えた光伝送モジュール１０を上側から見た図である。
【００８８】
レセプタクル６ｅは、固定部７０ａ，７０ｂのそれぞれに貫通孔Ｈ３０，Ｈ３２が設けられている点においてレセプタクル６と相違する。以下に係る相違点を中心にレセプタクル６ｅについて説明する。なお、固定部７０ａと固定部７０ｂとは同じ形状を有するので、固定部７０ａを例に挙げて説明する。
【００８９】
固定部７０ａの前後方向の中央に、貫通孔Ｈ３０（第３の貫通孔の一例）が設けられている。これにより、接着剤１００ａは、貫通孔Ｈ１０，Ｈ１２，Ｈ３０を通過して固定部７０ａの面Ｆ１，Ｆ２に接触することができるようになる。これらの貫通孔Ｈ１０，Ｈ１２，Ｈ３０を設けたことにより、接着剤１００ａが凹部４４ａ、４４ｂに入り込みやすくなる。
【００９０】
なお、レセプタクル６ｅにおいて、貫通孔Ｈ３０（第１の貫通孔の一例）のみが設けられ、貫通孔Ｈ１０，Ｈ１２が設けられない構成であってもよい。
【００９１】
（第６の変形例）
以下に、第６の変形例に係るレセプタクル６ｆについて図面を参照しながら説明する。図１７は、レセプタクル６ｆを備えた光伝送モジュール１０を上側から見た図である。
【００９２】
レセプタクル６ｆは、固定部７０ａ，７０ｂの形状においてレセプタクル６と相違する。以下に係る相違点を中心にレセプタクル６ｆについて説明する。なお、固定部７０ａと固定部７０ｂとは同じ形状を有するので、固定部７０ａを例に挙げて説明する。
【００９３】
貫通孔Ｈ１０は、上側から見たときに、後ろ側が上側に対応し前側が下側に対応する略Ｕ字状をなしている。そして、固定部７０ａは、上面５０においてＵ字状の貫通孔Ｈ１０に囲まれた部分である。従って、固定部７０ａは、後端のみが周縁部Ｐ１に接続された片持ち梁構造をなしている。以上のような構造を有するレセプタクル６ｆにおいても、レセプタクル６と同様に、金属カバー２０がレセプタクルレンズ２２から脱落することを抑制できる。
【００９４】
（その他の実施形態）
本発明に係るレセプタクルは、レセプタクル６，６ａ〜６ｆに限らずその要旨の範囲内において変更可能である。
【００９５】
なお、レセプタクル６，６ａ〜６ｆの構成を任意に組み合わせてもよい。
【００９６】
なお、凹部４４ａ，４４ｂは、上側から見たときに、長方形状をなしているが、円形等その他の形状をなしていてもよい。
【００９７】
なお、固定部７０ａ，７０ｂはそれぞれ、上面５０ではなく、左面５２及び右面５４に設けられていてもよい。
【００９８】
また、レセプタクル６，６ａ〜６ｆでは、固定部７０ａ，７０ｂが２つ設けられている例をあげているが、固定部が１つまたは３つ以上であってもよい。
【産業上の利用可能性】
【００９９】
以上のように、本発明は、レセプタクルに有用であり、特に、金属カバーが脱落することを抑制できる点で優れている。
【符号の説明】
【０１００】
６，６ａ〜６ｆ：レセプタクル
８：プラグ
１０：光伝送モジュール
１２：回路基板
１８ａ，１８ｂ：光ファイバ
２０：金属カバー
２２：レセプタクルレンズ（位置決め部材）
２４ａ：受光素子アレイ
２４ｂ：発光素子アレイ
２６ａ，２６ｂ：駆動回路
２７：封止樹脂
２７ａ，２７ｂ：封止部
３８ａ，３８ｂ，４１ａ，４１ｂ：レンズアレイ
４４ａ，４４ｂ：凹部
５０：上面
５２：左面
５４：右面
７０ａ，７０ｂ：固定部
１００ａ，１００ｂ：接着剤
Ｆ１〜Ｆ４：面
Ｈ１，Ｈ２，Ｈ１０，Ｈ１２，Ｈ１４，Ｈ１６，Ｈ３０，Ｈ３２：貫通孔
Ｐ１〜Ｐ４：周縁部
【図１】
2017169934.tif 000003
【図２】
2017169934.tif 000004
【図３】
2017169934.tif 000005
【図４】
2017169934.tif 000006
【図５】
2017169934.tif 000007
【図６】
2017169934.tif 000008
【図７】
2017169934.tif 000009
【図８】
2017169934.tif 000010
【図９Ａ】
2017169934.tif 000011
【図９Ｂ】
2017169934.tif 000012
【図１０】
2017169934.tif 000013
【図１１】
2017169934.tif 000014
【図１２】
2017169934.tif 000015
【図１３】
2017169934.tif 000016
【図１４】
2017169934.tif 000017
【図１５Ａ】
2017169934.tif 000018
【図１５Ｂ】
2017169934.tif 000019
【図１６】
2017169934.tif 000020
【図１７】
2017169934.tif 000021
【国際調査報告】
2017169934.tif 000022
2017169934.tif 000023
2017169934.tif 000024
2017169934.tif 000025